(57)【特許請求の範囲】
【請求項１】
塔婆を支えるための梯子状のフレーム枠で構成される塔婆立てに取り付けられて、塔婆立てを補助する塔婆立て補助具であって、
前記フレーム枠のうちの長手方向の一方のフレーム長枠に固定されるフレーム挟持部と、
前記フレーム枠により区分されたスペースに挿入される一つの前記塔婆又は複数の前記塔婆のうちの当接可能な前記塔婆を前記一方のフレーム長枠に接触させないように押えるストッパーと、
前記フレーム挟持部に連結され、前記一方のフレーム長枠に対して前記フレーム枠のうちの短手方向で対向する他方のフレーム長枠側に向かう略垂直方向に沿って、前記当接可能な前記塔婆と前記一方のフレーム長枠との間隔を調整可能に前記ストッパーを係止するアームと、を備える
ことを特徴とする塔婆立て補助具。
【請求項２】
前記アームは、前記一方のフレーム長枠との間隔を段階的に調整可能な凹凸の係止構造、又は、前記フレーム挟持部との連結による前記略垂直方向のアーム長を調整可能な湾曲状構造を有する
ことを特徴とする請求項１に記載の塔婆立て補助具。
【請求項３】
前記アームは、前記長手方向に延びて隣り合う他の前記アームと連結可能に補強する連結棒を有する
ことを特徴とする請求項１又は請求項２に記載の塔婆立て補助具。
【発明の詳細な説明】
【技術分野】
【０００１】
本発明は、風などによる塔婆の大きな揺れを防止するために塔婆立てに取り付ける塔婆立て補助具に関するものである。
【背景技術】
【０００２】
塔婆は故人の供養のために、梵字などを記した板木等であり、葬儀の日、盆、彼岸、年忌などに墓に供えられる。その際に、塔婆は、例えば墓の後方に設置される塔婆立てに置かれている。
【０００３】
なお、卒塔婆立てにおいて、卒塔婆支持用の上支持部及び底支持部を具備し、前記上支持部又は底支持部の少なくとも一方に卒塔婆を固定する固定機構を設けたものが知られている（例えば、特許文献１を参照）。
【先行技術文献】
【特許文献】
【０００４】
【特許文献１】実登３００８９２３号公報
【発明の概要】
【発明が解決しようとする課題】
【０００５】
塔婆立てには、塔婆立てを構成する梯子状のフレーム枠間に塔婆挿入孔が設けられている。塔婆は、塔婆立ての塔婆挿入孔に入れられて、長手方向のフレーム枠にやや傾斜した状態でもたれ掛かっている。長手方向のフレーム枠のフレーム間隔は、複数枚の塔婆が挿入できるようになっているため、このフレーム間隔内に隙間なく塔婆が挿入されているときには、風により煽られた場合、挿入された塔婆が揺動する距離が短くなる。
【０００６】
しかしながら、フレーム間隔に比べて少ない塔婆数が挿入されているときには、挿入された塔婆が風により揺動する距離が長くなる。これにより、挿入された塔婆が、風により大きく揺れて、塔婆と塔婆挿入孔を囲むフレーム枠との衝突音や、塔婆同士の衝突音を発することがある。
【０００７】
また、塔婆の平板自体が風の流れに対して、さらに風の渦列を作り、塔婆に振動を生じさせたり、塔婆同士を衝突させたりする場合もある。
【０００８】
これらの音は、寺、墓所、霊園内などの多くの墓場で発生している問題であり、特に近隣が住宅地である場合には、近隣住民にとって騒音問題として課題となっている。
【０００９】
従来の挟持型の塔婆立て補助具などでは、例えばフレーム枠間における塔婆挿入孔において、バネなどを用いた挟持構造により複数の塔婆の板を一括で挟み、塔婆を固定する方法等が提案されている。しかしながら、このような挟持構造は予め塔婆立てに取り付けられる構造であるため、新たにこのような塔婆立てを購入して、既存の塔婆立てと取り替える必要があった。したがって、多くの種類の塔婆立てには、後付で取り付けることができないものであった。
【００１０】
また、後付で取り付けるタイプのものでも、塔婆の表面側からも挟持する部品材が覆うため、葬儀の日、盆、彼岸、年忌などの当日には、これらの補助具を一端取り外すなどの措置も必要となる場合があった。
【００１１】
本発明が解決しようとする課題は、多くの種類の塔婆立てに取り付けることができる塔婆立て補助具を提供することである。
【課題を解決するための手段】
【００１２】
上記課題を解決するために、本発明に係る塔婆立て補助具は、塔婆を支えるための梯子状のフレーム枠で構成される塔婆立てに取り付けられて、塔婆立てを補助する塔婆立て補助具である。当該塔婆立て補助具は、前記フレーム枠のうちの長手方向の一方のフレーム長枠に固定されるフレーム挟持部と、前記フレーム枠により区分されたスペースに挿入される一つの前記塔婆又は複数の前記塔婆のうちの当接可能な前記塔婆を前記一方のフレーム長枠に接触させないように押えるストッパーと、前記フレーム挟持部に連結され、前記一方のフレーム長枠に対して前記フレーム枠のうちの短手方向で対向する他方のフレーム長枠側に向かう略垂直方向に沿って、前記当接可能な前記塔婆と前記一方のフレーム長枠との間隔を調整可能に前記ストッパーを係止するアームと、を備えることを特徴とする。
【００１３】
好ましくは、本発明に係る塔婆立て補助具において、前記アームは、前記一方のフレーム長枠との間隔を段階的に調整可能な凹凸の係止構造、又は、前記フレーム挟持部との連結による前記略垂直方向のアーム長を調整可能な湾曲状構造を有することを特徴とする。
【００１４】
また、好ましくは、本発明に係る塔婆立て補助具において、前記アームは、前記長手方向に延びて隣り合う他の前記アームと連結可能に補強する連結棒を有することを特徴とする。
【発明の効果】
【００１５】
本発明に係る塔婆立て補助具によれば、多くの種類の塔婆立てに取り付けることができる。
【図面の簡単な説明】
【００１６】
【図１】本発明に係る塔婆立て補助具の第１の実施形態の構成を示す斜視図である。
【図２】図１に示す塔婆立ての正面全体図である。
【図３】第１の実施形態の塔婆立て補助具の斜視図である。
【図４】図３に示す塔婆立て補助具の正面図である。
【図５】図３に示す塔婆立て補助具の背面図である。
【図６】図３に示す塔婆立て補助具の右側面図である。
【図７】図３に示す塔婆立て補助具の上面図である。
【図８】図３に示す塔婆立て補助具の塔婆挿入及び取り出し時の使用方法を示す説明図である。
【図９】図３に示すアームの拡大図である。
【図１０】図３に示すストッパーの全体拡大図である。
【図１１】図１０に示すアーム係止部の背面図、上面図及び正面図である。
【図１２】図１０に示す塔婆緩衝部の正面図、側面図及び背面図である。
【図１３】塔婆立てに塔婆立て補助具を取り付けない状態の風の流れを説明する図である。
【図１４】塔婆立てに塔婆立て補助具を取り付けた状態の風の流れを説明する図である。
【図１５】第２の実施形態の塔婆立て補助具の構成を示す斜視図である。
【図１６】図１５に示す塔婆立て補助具の背面拡大図である。
【発明を実施するための形態】
【００１７】
以下、本発明に係る実施形態の塔婆立て補助具について、図面を参照して具体的に説明する。ここで、互いに同一または類似の部分には共通の符号を付して、重複説明は省略する。ここで説明する下記の実施形態はいずれも、フレームの断面が円形状であり、金属製パイプフレームで製作された塔婆立てに、本実施形態の塔婆立て補助具を取り付けた場合の一例をとりあげて説明する。
【００１８】
［第１の実施形態］
以下、本発明に係る塔婆立て補助具の第１の実施形態の構成について、図１乃至図１４を用いて説明する。ここで、図１は、本発明に係る塔婆立て補助具１の第１の実施形態の構成を示す斜視図である。図２は、図１に示す塔婆立て８の正面全体図である。また、図３乃至図７は、本実施形態の塔婆立て補助具１の各方向から視た図である。その他の図については、以降において、適宜説明する。
【００１９】
塔婆立て８は、図２に示すように、例えば地面又は墓石土台部などに直立に設置されるフレーム支柱８３に、主に梯子状のフレーム枠８０が水平を保持するようにフレーム支柱８３の上段及び下段に取り付けられている構造である。フレーム支柱８３は、例えば石材、木材、ステンレス等により形成されている。
【００２０】
なお、図２に示す塔婆立て８は、フレーム支柱８３の上段及び下段に、フレーム枠８０を備える構造であるが、例えばフレーム支柱８３の上段のみにフレーム枠８０を備える構造でもよく、また、フレーム支柱８３の上段、中段及び下段にフレーム枠８０を備える構造であってもよい。
【００２１】
フレーム枠８０は、図１及び図２に示すように、例えば長手方向に延びる２本のフレーム長枠８１と、短手方向に延びる複数のフレーム短枠８２とにより構成される。このフレーム長枠８１と、フレーム短枠８２又はフレーム支柱８３とにより、塔婆９を挿入するスペースが区分される。以降では、このスペースを、塔婆９のスペース区分と称す。また、フレーム枠８０は、例えば石材、木材、ステンレス等が用いられ、フレーム枠８０の断面は、例えば円形状、四角形状などである。
【００２２】
なお、フレーム枠８０の長手方向を、フレーム枠８０に挿入されて立直した塔婆９の板面に対する水平方向とも称す（以降では、単に水平方向とも記す）。また、フレーム枠８０の短手方向を、フレーム枠８０に挿入されて立直した塔婆９の板面に対する垂直方向とも称す（以降では、単に垂直方向とも記す）。また、図２及び図１５に示す塔婆９において、「塔婆○」の字を記入した板面側を表面（正面）側とする。
【００２３】
塔婆立て補助具１は、図１及び図２に示すように、塔婆９を支えるために塔婆立て８に取り付けられて、塔婆立て８を補助する。以下、塔婆立て補助具１の構造及び補助方法について、具体的に説明する。
【００２４】
塔婆立て補助具１は、図１、図３乃至図７に示すように、フレーム挟持部２と、アーム３と、ストッパー４とを備えている。
【００２５】
フレーム挟持部２は、塔婆立て補助具１をフレーム枠８０に安定的に固定するための構造を有する。フレーム挟持部２は、後述するアーム３に連結される。フレーム挟持部２は、図１等に示すように、例えばフレーム枠８０のうちの長手方向の一方のフレーム長枠８１に取り付けられる。フレーム挟持部２は、フレーム断面が円形状、四角形状に応じたパイプなどを挟持可能な構造である。
【００２６】
アーム３は、塔婆立て８のスペース区分に挿入された塔婆９の垂直方向（塔婆９の平板と垂直な方向）、及び、塔婆９の水平方向（塔婆９の平板と水平な方向）の動きを規制する支持構造を有する。
【００２７】
アーム３は、一方のフレーム長枠８１に対して他方のフレーム長枠８１側に向かう略垂直方向に延びてフレーム挟持部２に連結される。アーム３は、当接可能な塔婆９と一方のフレーム長枠８１との間隔を調整可能にストッパー４を係止する。これにより、アーム３は、塔婆９の数に応じて、ストッパー４の係止位置を段階的に調整することができる。すなわち、塔婆９の垂直方向の動きを規制することができる。
【００２８】
また、アーム３は、フレーム短枠８２に衝突させないように、フレーム枠８０の長手方向の両側の幅を規制するように塔婆９を囲い、塔婆９の水平方向の動きを規制することができる。
【００２９】
ストッパー４は、フレーム枠８０により区分されたスペース区分に挿入される一つの塔婆９、又は、複数の塔婆９のうちの当接可能な塔婆９を一方のフレーム長枠８１に接触させないようにする構造を有する。
【００３０】
さらに、ストッパー４は、緩衝性又は弾力性を備える構造であり、塔婆９が風に煽られた場合において、塔婆９の揺れを柔らかく受け止めることができる。すなわち、塔婆９の垂直方向の揺れを規制することができる。
【００３１】
例えば、塔婆立て８において、フレーム枠８０のフレーム長枠８１同士の間隔は、塔婆９の板厚にもよるが、複数枚挿入できるようになっているため、このフレーム長枠８１の間隔に隙間なく塔婆９が挿入されているときには、塔婆９が揺れ動くことが少ない。一方、フレーム長枠８１の間隔に比べて、少ない枚数の塔婆９が挿入されているときには、風等の影響により塔婆９が揺れ動く。
【００３２】
そこで、塔婆立て８に塔婆立て補助具１を取り付けて、アーム３において、ストッパー４を当接可能な塔婆９と一方のフレーム長枠８１との間隔を調整して係止する。これにより、アーム３は、塔婆９の数に応じて、ストッパー４の係止位置を調整することができるため、他方のフレーム長枠８１とストッパー４との間に１又は複数の塔婆９を押圧して支えることができる。すなわち、塔婆９の垂直方向の動きを規制することができる。
【００３３】
以上のように、フレーム枠８０により区分されたスペース区分において、塔婆９の板面の水平方向及び垂直方向における動き・揺れ等を規制することができる。これにより、塔婆９が同一のスペース区分に一枚又は複数枚挿入されていても、動き・揺れ等を規制することができるため、塔婆９同士或いは塔婆９とフレーム枠８０とが接触した場合にも、大きな衝突音を発生させないようにすることができる。
【００３４】
好ましくは、アーム３は、一方のフレーム長枠８１に対して他方のフレーム長枠８１側に向かう略垂直方向に沿って、一方のフレーム長枠８１との間隔を段階的に調整可能な凹凸の係止構造を有する。また、好ましくは、アーム３は、アーム長を調整可能な湾曲状構造を有する。
【００３５】
以下、主に図３乃至図１２に基づいて、フレーム挟持部２、アーム３及びストッパー４の詳細な構造の一例について説明する。
【００３６】
フレーム挟持部２は、Ｌ字金具２１、挟持リング２３、固定ネジ２４および固定ナット２５を有する。また、Ｌ字金具２１には、１又は複数の連結棒孔２２（２２−１、２２−２）が設けられる。
【００３７】
Ｌ字金具２１は、例えば図５乃至図８等に示すように、薄板がＬ字状にプレス加工等されて、さらにＬ字状の平板面の一部が直角に折り曲げ加工されて製作される。Ｌ字金具２１には、１又は複数の連結棒孔２２（２２−１、２２−２）が設けられる。また、Ｌ字金具２１には、挟持リング２３により挟持された又は取り付けられた場合に、２本の固定ネジ２４が貫通可能な貫通孔が設けられている。
【００３８】
連結棒孔２２は、フレーム挟持部２とアーム３とを連結する際に、アーム３の連結用貫通孔３３１と共に連結棒５１を貫通させる孔である。連結棒孔２２として、複数の連結棒孔２２−１及び２２−２が設けられてもよい。連結棒５１を貫通させる場合に、複数の連結棒孔２２−１及び２２−２のうちのいずれかを選択することにより、アーム３のアーム長を調整することもできる。広義の意味において、アーム長は、例えば図６に示すようなフレーム挟持部２及びアーム３の連結を含めた短手方向における長さである。
【００３９】
挟持リング２３は、例えばフレーム長枠８１を挟持可能な湾曲板（図１等の例では丸型形状の板）である。塔婆立て８に取り付け時において、フレーム長枠８１にフレーム形状に応じた挟持リング２３を挟持させ、さらに、その挟持リング２３の固定可能な箇所にＬ字金具２１を挟持させた又は取り付けた状態で、固定ネジ２４及び固定ナット２５により締結されて固定される。
【００４０】
なお、例えばフレーム長枠８１における断面の形状が四角形状の場合には、挟持リング２３を四角型形状の湾曲板を用いることにより、対応可能である。本塔婆立て補助具１では、塔婆立て８のフレーム長枠８１における断面の形状に応じた挟持リング２３を用意するだけで、他の部品要素は変更しなくてもよい。そのため、本塔婆立て補助具１を、多くの種類の塔婆立て８に取り付けることが可能となる。
【００４１】
図９に、アーム３の拡大図を示す。具体的には、図９（ａ）はアーム３の上面図であり、図９（ｂ）はアーム３の側面図である。以下、図９に示すアーム３の構造例について説明する。
【００４２】
アーム支柱部３１は、塔婆立て８に塔婆立て補助具１を取り付けた場合に、アーム３がフレーム長枠８１に過渡に衝突しない形状とされる。アーム支柱部３１は、図９（ｂ）に示すように、例えば略Ｌ字型の平板と、当該Ｌ字型と逆Ｌ字を成した平板とが連結した平板である。この他にも、例えば半アーチ形状等の湾曲形状の平板と、長方形状の平板とが連結した平板などである。
【００４３】
アーム支柱部３１は、フレーム挟持部２と連結されて、当接可能な塔婆９と一方のフレーム長枠８１との間隔を、他方のフレーム長枠８１側に向かう略垂直方向に沿って、段階可能に調整可能とする複数のアーム係止溝３２が設けられる。
【００４４】
好ましくは、アーム支柱部３１の長さは、塔婆立て８に塔婆立て補助具１を取り付けた場合に、他方のフレーム長枠８１の上側にアーム３が到達可能な長さである。この長さであれば、アーム３がフレーム長枠８１の上側に安定的に接触状態を保つことができ、アーム３に重力方向の負荷があまりかからずに済むため、脱落し難くなる。
【００４５】
アーム係止溝３２は、ストッパー４におけるアーム係止部４２の板厚を嵌め込む程度の幅の溝である。アーム係止溝３２の複数の溝における間隔は、等間隔であってもよく、不等間隔であってもよい。
【００４６】
アーム結合部３３は、アーム３を摺動可能に、および、回動可能にフレーム挟持部２と連結するための構造を有する。アーム結合部３３には、図９（ｂ）に示すように、例えば立方体片状に形成され、その立方体片状に連結棒５１を貫通させるための連結用貫通孔３３１と、図９（ａ）に示す留め具５２を螺合可能に連結棒５１の面を押圧して留めるための留め具孔３３２と、が設けられている。
【００４７】
なお、例えばアーム支柱部３１及びアーム結合部３３が金属材料である場合、アーム支柱部３１はプレス加工等により製作可能である。また、アーム結合部３３の立方体片は、製作されたアーム支柱部３１の板に溶接加工などにより取り付けることができる。
【００４８】
また、好ましくは、アーム３は、さらに、長手方向に延びて隣り合う他のアーム３と連結可能に補強する連結部５を有する。連結部５は、連結棒５１及び留め具５２からなる。
【００４９】
連結棒５１は、フレーム枠８０の上方側に位置する箇所でアーム３を摺動可能に、および、回動可能に連結する。連結棒５１は、例えば２つの組みのアーム３における一方の連結用貫通孔３３１を貫通し、他方のアーム３の連結用貫通孔３３１を貫通する。
【００５０】
この連結用貫通孔３３１を貫通状態にある連結棒５１は、アーム３に設けられている留め具孔３３２に螺合する留め具５２により締結され、留め具５２の先端側で連結棒５１との当接面を強く押圧した状態により固定される。これにより、連結棒５１の摺動、及び、アーム３の回動及び摺動が抑制される。
【００５１】
なお、本実施形態では、図３乃至図７に示すように、連結棒５１として少なくとも２つのアーム３を連結可能な長さであるものを用いているが、１つのアーム３と１つのフレーム挟持部２とを締結可能な長さ（短棒）であってもよく、また、アーム３を回動可能とする回動軸棒であってもよい。
【００５２】
また、図８に示すように、すべての留め具５２が留め具孔３３２で緩められている状態において、連結棒５１自体が水平方向に摺動可能である。また、各々のアーム３は、貫通状態にある連結棒５１を回転軸として回動可能であり、また、連結棒５１上で水平方向に摺動可能である。これにより、梯子状のフレーム枠８０に取り付けたフレーム挟持部２からアーム３を回動自在に調整することができ、また、フレーム枠８０により区分されたスペース区分に挿入された塔婆９の板幅程度にアーム３の位置を容易に調整することができる。
【００５３】
また、塔婆９を塔婆立て８から抜き差しする場合に、アーム３を区分されたスペースから退けるように後方側に回動させて、塔婆９の抜き差し時に邪魔にならないようにすることができる。また、塔婆９を再び固定する際に、簡単にアーム３を回動前の元の位置に戻すことができる。
【００５４】
なお、本実施形態の塔婆立て補助具１の一例として、図１乃至図９等に示すように、フレーム挟持部２とアーム３とを分離した構造で示したが、フレーム挟持部２とアーム３とが一体型であってもよい。具体的には、一枚の平板からプレス加工等で、例えばＬ字金具２１とアーム支柱部３１とを一体のものとして、製作可能である。
【００５５】
図１０乃至図１２に、ストッパー４に関する拡大図を示す。具体的には、図１０（ａ）はストッパー４の背面図であり、図１０（ｂ）はストッパー４の正面図である。また、図１１（ａ）はアーム係止部４２の背面図であり、同じく、図１１（ｂ）は上面図、図１１（ｃ）は正面図である。また、図１２（ａ）は塔婆緩衝部４１の背面図であり、同じく、図１２（ｂ）は側面図、図１２（ｃ）は正面図である。
【００５６】
図１０に、ストッパー４の全体拡大図を示す。ストッパー４は、図１０に示すように、塔婆緩衝部４１とアーム係止部４２とから構成される。ここで、図１１にストッパー４のアーム係止部４２の拡大図を示し、図１２にストッパー４の塔婆緩衝部４１の拡大図を示す。以下、図１０に示すストッパー４の構造例について説明する。
【００５７】
アーム係止部４２は、２つのアーム３の各々のアーム係止溝３２に係止する。例えば、アーム係止部４２は、図１１に示すように、ストッパー支柱４２１、ストッパー係合溝４２２、緩衝材ガイド４２３を有する。
【００５８】
ストッパー支柱４２１は、塔婆９の垂直方向の動きを規制するための平板である。ストッパー支柱４２１は、少なくとも１つのスペース区分に配置された両側のアーム３に係止可能な長さである。
【００５９】
ストッパー係合溝４２２は、ストッパー支柱４２１の長手方向の両端側に、アーム３のアーム係止溝３２に係合可能な溝である。ストッパー係合溝４２２には、長手方向に調整可能な余裕を持たせるための溝幅が設けられる。これにより、スペース区分の両側にあるアーム３におけるそれぞれのアーム係止溝３２に、ストッパー４のストッパー係合溝４２２を係合させることにより、ストッパー４をアーム３に係止させることができる。また、ストッパー係合溝４２２において、長手方向に調整可能な余裕を持たせるための溝幅があるため、スペース区分の両側のアーム３における長手方向の間隔を調整可能である。
【００６０】
緩衝材ガイド４２３は、緩衝部品となる塔婆緩衝部４１をストッパー４において支持する構造を有する。すなわち、ストッパー支柱４２１により塔婆９の垂直方向の動きを規制すると共に、さらに、緩衝材ガイド４２３が、ストッパー４に当接する塔婆９の動き・揺れなどを吸収するように作用する塔婆緩衝部４１を支える。
【００６１】
塔婆緩衝部４１は、スペース区分において、ストッパー４に当接可能な塔婆９に対して緩衝作用を働かせる構造を有する緩衝部品である。塔婆緩衝部４１は、図１に示すように、フレーム枠８０により区分されたスペースに挿入される一つの塔婆９、又は、複数の塔婆９のうちの当接可能な塔婆９を一方のフレーム長枠８１に接触させないように押える緩衝構造を有する。
【００６２】
塔婆緩衝部４１は、アーム係止部４２の緩衝材ガイド４２３に沿って係合される。これにより、塔婆緩衝部４１は、ストッパー支柱４２１により塔婆９の垂直方向の動きを規制すると共に、さらに、ストッパー４に当接する塔婆９に対して、塔婆９の動き・揺れなどを吸収するように作用する。
【００６３】
塔婆緩衝部４１は、例えば所定の厚さの１枚の平板を曲げ加工処理することにより、製作可能である。具体的には、塔婆緩衝部４１は、図１２に示すようなガイド挿入板４１１、第１連接板４１２、第２連接板４１３および折返板４１４が設けられるように、例えば１枚の平板をＶ字曲げ、Ｕ字曲げなどの曲げ加工処理により製作される。
【００６４】
ガイド挿入板４１１は、ストッパー支柱４２１と緩衝材ガイド４２３とにより設けられる係止部分に挿入される。
【００６５】
第１連接板４１２は、ガイド挿入板４１１と折曲角θ１のＶ字曲げ処理され、さらに、その反対方向への折り曲げ加工にて、第２連接板４１３と折曲角θ２のＶ字曲げ処理される。
【００６６】
第２連接板４１３は、塔婆９の板面に当接する板部である。第２連接板４１３は、ストッパー４のアーム３への係止状態において、やや傾斜した状態で塔婆９の板面に当接する。その場合に、主に折曲角θ２のＶ字曲げ処理が施されていることにより、屈曲性や弾力性を有し、塔婆９の揺れなどに対する緩衝性を働かせる。なお、第２連接板４１３の面に、好ましくは、より衝撃を吸収しやすい緩衝材・弾性体などを貼り付けてもよい。緩衝材・弾性体として、例えばシリコン樹脂、ゴムシートなどである。
【００６７】
折返板４１４は、第２連接板４１３において、図１２（ｂ）に示すような上側方向に配置される先端部をやや折り返すように、Ｖ字曲げなどの加工処理がなされた部分である。これは、第２連接板４１３が塔婆９の板面に当接した際に、金属板の先端部が、塔婆９の板面を傷つけることがないようにするための処理である。
【００６８】
以上のように、塔婆緩衝部４１は、１枚の平板を複数の位置で折り曲げ加工処理することにより、全体として屈曲性・弾力性を有するような緩衝構造に形成される。
【００６９】
以上のような構成により、塔婆緩衝部４１は、屈曲性・弾力性を有するような緩衝構造とされる。これにより、塔婆９が風に煽られた場合において、塔婆９の揺れを柔らかく受け止めることができる。すなわち、塔婆９の板面に対する垂直方向の揺れを規制することができる。
【００７０】
以上説明したように、フレーム挟持部２及びアーム３により、挿入された塔婆９に対して、フレーム長枠８１に沿う長手方向の動き・揺れを規制することができる。また、アーム３及びストッパー４により、挿入された塔婆９に対して、フレーム短枠８２に沿う短手方向の動き・揺れを規制することができる。
【００７１】
なお、塔婆立て補助具１は、ステンレス、アルミ等の金属材料で製作可能である。また、これらの材料に限定されるわけでなく、木製、合成樹脂など、または、これらの組み合せなどによっても製作可能である。ただし、屋外使用に対する、雨などの対する防錆性、強風にも耐えうる強度、直射日光・紫外線などでも劣化し難い材料特性などに加えて、製作コスト等を考慮すると、好ましくは、ステンレス、アルミ等の金属材料で製作されたものである。
【００７２】
本実施形態の塔婆立て補助具１は、既に墓所などに設置されている塔婆立て８にも、容易に取り付けることができる。塔婆立て８と一体型の構造でなく、また、取り付け作業が容易である。
【００７３】
本実施形態の塔婆立て補助具１は、梯子状のフレーム枠８０に、複数のアーム３の間隔を塔婆９の板幅程度に応じて、容易に調整することができる。また、塔婆立て８のフレーム形状に応じて、フレーム挟持部２の挟持部分を変更することで対応できる。
【００７４】
本実施形態の塔婆立て補助具１は、塔婆立て８のスペース区分に応じて、フレーム長枠８１におけるフレーム挟持部２の取り付け位置を調整し、また、フレーム短枠８２における短手方向のアーム３及びストッパー４による係止位置を調整することができる。
【００７５】
＜渦流の説明＞
図１３及び図１４は、塔婆９を複数本置いたときの風の影響を説明する図である。詳しくは、図１３は、塔婆立て８に塔婆立て補助具１を取り付けない状態の風の流れを説明する図である。また、図１４は、塔婆立て８に塔婆立て補助具１を取り付けた状態の風の流れを説明する図である。
【００７６】
本発明に係る塔婆立て補助具１について、流体力学的な面における作用・効果について説明する。
【００７７】
本実施形態の塔婆立て補助具１のアーム３では、一方のフレーム長枠８１に対して他方のフレーム長枠８１側に向かう略垂直方向に沿って、凹凸の係止構造（例えばアーム係止溝３２）を有する。また、本実施形態のアーム３は、一方のフレーム長枠８１に対して他方のフレーム長枠８１側に向かう略垂直方向に沿って、湾曲状構造（例えばＬ字形状）を有する。
【００７８】
ここで、塔婆立て８に塔婆立て補助具１を取り付けていない場合の例として、図１３に示す。図１３では、上面から視た塔婆立て８に塔婆立て補助具１を取り付けない状態での風Ｗａの流れの一例を示すものである。
【００７９】
図１３に示すような風Ｗａによる空気の流れで、塔婆９の平板を境にして、左方向の風ＷａL、右方向の風ＷａRがまとわりつく。すなわち、流体である空気の粘性により、また、塔婆９の面積の広い平板が、風Ｗａに垂直に対抗している場合に、塔婆９に大きな圧力抵抗が発生する。
【００８０】
さらに、塔婆９の板面を境にして、平板の後方に吹く風ＷａB、風下の流れ方向に渦列ＵａＬ１、ＵａＲ１、ＵａＬ２、ＵａＲ２、・・・が発生する場合がある。このような渦が、カルマン渦列となって、塔婆９に振動を発生させたり、共振を起こさせたりする場合がある。
【００８１】
以上のような状況において、例えば図１３に示すように、風Ｗａの方向に対して、塔婆９の平板面が垂直な方向になった場合に、塔婆９が塔婆立て８のフレーム枠８０内でバタつく。塔婆立て８のフレーム枠８０は、主にステンレス製等の金属が多いため、塔婆９と塔婆立て８と衝突した際の衝突音、塔婆９同士の衝突音、塔婆９の平板が風を切ることによって発生する渦音、塔婆９の振動によるバタつきなどの騒音の要因ともなる。
【００８２】
次に、図１４では、上面から視た婆立て８に塔婆立て補助具１を取り付けた状態での風Ｗｂの流れの一例を示すものである。本実施形態の塔婆立て補助具１では、図１４に示すように、図１３と同様に、風Ｗｂの流れに塔婆９の平板が対向した場合、塔婆９の平板を境にして、左方向の風ＷｂL、右方向の風ＷｂRがまとわりつく。
【００８３】
しかしながら、前述したような図１３に示す現象などに対して、本実施形態の塔婆立て補助具１では、塔婆９の板面に対して、例えば垂直方向に延びるアーム３の凹凸の係止溝（アーム係止溝３２）、又は、Ｌ字形状や凹凸のアーム形状（アーム３の形状、もしくは、アーム３〜フレーム挟持部２も含めた形状）などの湾曲状構造により、塔婆９の板の裏面側に入り込む渦を分断することができる。これにより、大きく風力の強い渦の発生を抑えることができる。
【００８４】
例えば、本実施形態の塔婆立て補助具１では、前述したようなアーム係止溝３２又はＬ字形状の湾曲状構造を有するアーム３における凹凸構造を設けることにより、図１４に示すような風Ｗｂによる空気の流れを塔婆９の板面を境にして、平板の後方に吹く風ＷｂBと共に、図１３に示すような大きな渦列ＵａＬ１、ＵａＲ１・・・に比べて、より小さな渦列ＵｂＬ１、ＵｂＲ１、ＵｂＬ２、ＵｂＲ２、ＵｂＬ３、ＵｂＲ３・・・に抑えることができる。
【００８５】
以上のようなアーム３における凹凸構造により、例えばカルマン渦列を防止し、風の流れによる、塔婆９とフレーム枠８０内での揺れを共振させないように、大きな渦列を小さな渦列にすることができる。
【００８６】
以上説明したように、本実施形態の塔婆立て補助具１によれば、既にお墓に設置されている塔婆立て８に、容易に取り付けることができる。塔婆立て８と一体型の構造でなく、また、取り付け作業が容易である。さらに、梯子状のフレーム枠８０に、複数のアーム３の間隔を塔婆９の板幅程度に容易に調整できる。
【００８７】
さらに、塔婆９の板面に対して、垂直方向に延びるアーム３の凹凸構造により、塔婆９の平板の裏面側に入り込むうずを分断する。また、風の流れによる、大きな渦列を小さな渦列となるような構造である。
【００８８】
（特徴）
この他にも、例えば以下のような特徴を有するものである。
（１）既存の塔婆立てに、取り付けおよび取り外しが容易にでき、また、取り付け数も容易に増減可能である。
（２）取り付けおよび取り外し作業も短時間かつ容易に行うことができる。
（３）特に、密集した墓所などで取り付け時の作業スペースが十分にないところでも、塔婆立ての前側からでも後側からでも取り付け作業が可能である。
【００８９】
（４）簡易な構造であり、また、ステンレス、アルミなどの低廉な材料で、かつ、簡易な加工処理により製作できるため、低廉な価格で提供可能である。
（５）また、基本構造の組み合わせにより、塔婆立てのスペース区分数に応じて、一セットだけでなく、複数セットにも対応できる。多くの部品種類を必要としない。材料コスト、在庫管理等も負担がかからず、経済的である。
【００９０】
（６）塔婆を塔婆立てに略垂直状態の姿勢で保つことができるため、整然とした印象を与えることができる。塔婆立てに取り付けたままでも、美感を損なうことが少ない。
（７）風による塔婆の揺れを押さえることができるため、お寺・霊園などにおいて、近隣住民からのこれらの騒音などに対する苦情、トラブルを解決する対策とすることができる。
【００９１】
以上説明したように、本実施形態の塔婆立て補助具によれば、多くの種類の塔婆立てに取り付けることができる。
【００９２】
［第２の実施形態］
第２の実施形態の塔婆立て補助具の構成について、図１５及び図１６を用いて説明する。ここで、図１５は、第２の実施形態の塔婆立て補助具１Ｂの構成を示す斜視図である。図１６は、図１５に示す塔婆立て補助具１Ｂを塔婆立て８の背面側から視た背面拡大図である。
【００９３】
図２に示す塔婆立て補助具１の使用状態では、１本の塔婆９を塔婆立て８に挿入した実施例を示したが、図１５及び図１６に示す塔婆立て補助具１Ｂの使用状態では、複数の塔婆９を塔婆立て８に並列に置いた場合における実施例を示すものである。
【００９４】
塔婆立て補助具１Ｂは、図１５に示すように、塔婆立て８に２本の塔婆９を並列に置いた状態においても、例えば塔婆立て補助具１Ｂによって塔婆９の表面に記入された文字「塔婆○」を隠すことなく塔婆９を支持して、塔婆立て８を補助していることがわかる。表面（正面）側からみた美感において、塔婆立て補助具１Ｂは、従来の塔婆立て補助具に比べてより好ましい状態で塔婆立て８を補助することができる。
【００９５】
次に、図１６を参照しながら、本実施形態の塔婆立て補助具１Ｂの構成について、説明する。なお、第１の実施形態の塔婆立て補助具１と同一の符号の構成要素については、重複説明を省略し、主に相違する点について説明する。
【００９６】
塔婆立て補助具１Ｂは、図１等に示す塔婆立て補助具１の２セット分に相当する。塔婆立て補助具１Ｂでは、さらに、図１等に示す連結部５を、図１６に示す連結部５Ｂに置き換えたものである。具体的には、図１６に示す連結部５Ｂにおいて、複数のスペース区分に取り付けられた複数のアーム３を連結可能とするために、長い連結棒５１ｂを用いた点である。
【００９７】
塔婆立て補助具１Ｂのフレーム挟持部２及びアーム３において、共通の連結棒５１ｂを用いて、４つのフレーム挟持部２の連結棒孔２２とアーム３の連結用貫通孔３３１とに貫通させて、図１等に示す塔婆立て補助具１と同様に、塔婆立て補助具１Ｂを、塔婆立て８に取り付ける。
【００９８】
図１等に示す塔婆立て補助具１のような単独の構成による複数セットだけでなく、以上のような連結棒５１ｂの長さを変更するだけの基本構造の組み合わせにより、塔婆立て８のスペース区分数に応じた複数セットにも対応できる。
【００９９】
また、複数のフレーム挟持部２及びアーム３を１つの連結棒５１ｂで連結することにより、一つのフレーム挟持部２及びアーム３に作用する力を、複数のフレーム挟持部２及びアーム３へ分散することができる。
【０１００】
連結棒５１ｂの長さは、予め余裕のある長さで準備しておくことにより、簡易な作業と簡易な切断工具にて、長さを調整することができるため、多くの種類の塔婆立て８に取り付けが可能となる。
【０１０１】
以上説明したように、本実施形態の塔婆立て補助具によれば、多くの種類の塔婆立てに取り付けることができる。
【０１０２】
［他の実施形態］
以上、本発明の実施形態を説明したが、これらの実施形態は、例として提示したものであり、発明の範囲を限定することは意図していない。また、例えば各実施形態の特徴を組み合わせてもよい。さらに、これらの実施形態は、その他の様々な形態で実施されることが可能であり、発明の要旨を逸脱しない範囲で、種々の省略、置き換え、変更を行うことができる。これら実施形態やその変形には、発明の範囲や要旨に含まれると同様に、特許請求の範囲に記載された発明とその均等の範囲に含まれるものである。
【符号の説明】
【０１０３】
１、１Ｂ…塔婆立て補助具、２…フレーム挟持部、３…アーム、４…ストッパー、５、５Ｂ…連結部、８…塔婆立て、９…塔婆、２１…Ｌ字金具、２２、２２−１、２２−２…連結棒孔、２３…挟持リング、２４…固定ネジ、２５…固定ナット、３１…アーム支柱部、３２…アーム係止溝、３３…アーム結合部、４１…塔婆緩衝部、４２…アーム係止部、５１、５１ｂ…連結棒、５２…留め具、８０…フレーム枠、８１…フレーム長枠、８２…フレーム短枠、８３…フレーム支柱、３３１…連結用貫通孔、３３２…留め具孔、４１１…ガイド挿入板、４１２…第１連接板、４１３…第２連接板、４１４…折返板、４２１…ストッパー支柱、４２２…ストッパー係合溝、４２３…緩衝材ガイド
【要約】
【課題】多くの種類の塔婆立てに取り付けることができる塔婆立て補助具を提供する。
【解決手段】実施形態の塔婆立て補助具１は、塔婆立てのフレーム枠８０のうちの長手方向の一方のフレーム長枠８１に固定されるフレーム挟持部２と、フレーム枠８０により区分されたスペースに挿入される一つの塔婆９又は複数の塔婆９のうちの当接可能な塔婆９を一方のフレーム長枠８１に接触させないように押えるストッパー４と、フレーム挟持部２に連結され、当接可能な塔婆９と一方のフレーム長枠８１との間隔を調整可能にストッパー４を係止するアーム３と、を備える。
【選択図】図１【図１】
0006000493.tif 000002
【図２】
0006000493.tif 000003
【図３】
0006000493.tif 000004
【図４】
0006000493.tif 000005
【図５】
0006000493.tif 000006
【図６】
0006000493.tif 000007
【図７】
0006000493.tif 000008
【図８】
0006000493.tif 000009
【図９】
0006000493.tif 000010
【図１０】
0006000493.tif 000011
【図１１】
0006000493.tif 000012
【図１２】
0006000493.tif 000013
【図１３】
0006000493.tif 000014
【図１４】
0006000493.tif 000015
【図１５】
0006000493.tif 000016
【図１６】
0006000493.tif 000017